(57)【要約】【課題】タイヤのどの部位をとっても、加硫度が適正範囲に収まるよう加硫度を高度に管理してタイヤの性能を向上させることのできる加硫タイヤの冷却方法およびそれに用いられる冷却装置を提供する。【解決手段】加硫金型より取り出されたタイヤに内圧を充填し、タイヤの一部もしくは全部を、所定温度に制御された冷却水中に浸けて、タイヤを冷却する。【選択図】図１
2007054964.tif 000002
【特許請求の範囲】
【請求項１】
加硫金型より取り出されたタイヤを、内圧の充填下で冷却する方法において、
内圧が充填されたタイヤの一部もしくは全部を、所定温度に制御された冷却水中に浸けて、タイヤを冷却する加硫タイヤの冷却方法。
【請求項２】
前記タイヤを、冷却水中に浸けたまま、回転させる請求項１に記載の加硫タイヤの冷却方法。
【請求項３】
冷却水中に浸けたタイヤを回転する際の回転数を変化させてタイヤの冷却速度を変化させる請求項２に記載のタイヤの冷却方法。
【請求項４】
請求項１〜３のいずれかに記載のタイヤの冷却方法によって冷却されるタイヤの加硫プロセスを設定する方法において、
サイズもしくは種類の異なる複数のタイヤの各部位における前記冷却後の加硫度が、それぞれのタイヤについて部位ごとに予め定められた加硫度許容範囲内となるよう、前記回転数を異ならせるタイヤ加硫プロセスの設定方法。
【請求項５】
請求項１〜３のいずれかのタイヤの冷却方法に用いられ、加硫タイヤに充填された内圧を気密に保持するリムと、タイヤをその中心軸周りに回転させるタイヤ回転手段と、タイヤの外側を冷却する冷却水を収容する水槽とを具えてなるタイヤ冷却装置。
【請求項６】
タイヤのサイズもしくは種類に応じて、タイヤの回転を継続させる時間と、タイヤ回転手段の回転数とを予め定められた値にするよう制御する制御部を設けてなる請求項５に記載のタイヤ冷却装置。
【発明の詳細な説明】
【技術分野】
【０００１】
本発明は、加硫後のタイヤを冷却する冷却方法、この冷却方法によって冷却されるタイヤの加硫プロセスを設定する方法、およびそのための冷却装置に関し、特に、タイヤの加硫度を高度に管理することによりタイヤ性能の向上に資することのできるものに関する。
【背景技術】
【０００２】
ナイロン繊維等の収縮性の繊維が補強材として用いられているタイヤにおいては、タイヤを加硫機から排出させたあとタイヤが所定の温度に冷却されるまでの間、無張力下でこれらの補強材を放置すると、補強材は熱収縮しタイヤの形状が変化してしまうので、タイヤの温度が低下して所定温度に到達するまで、タイヤに内圧を充填したままこれを冷却することが行われている。
【０００３】
このため、一般的に、加硫機に装着された加硫金型から取り出されたタイヤを、取り出した直後にポストキュアインフレータと呼ばれる後加硫処理装置に装着し、所定の内圧を充填した状態に保持して冷却している。ポストキュアインフレータは、タイヤのビード部を一対の支持リムで内圧を気密に保ちつつこれを支持するよう構成されている。
【０００４】
この加硫直後のタイヤを冷却する方法においては、タイヤをポストキュアインフレータに装着したあと、圧縮空気を充填してタイヤを定速で回転させて膨張冷却させる方法、（例えば特許文献１参照）、タイヤをポストキュアインフレータに装着したあと、タイヤに冷却水を充填し、その状態でタイヤを高速回転させる方法（例えば特許文献２参照）、タイヤをポストキュアインフレータに装着したあと、ブラダを介して冷却水を充填し、タイヤ内を循環させる方法（例えば特許文献３参照）、又、一対の支持リムに加硫済みタイヤのビード部を支持させ、所定圧力まで空気を供給するとともに、そのタイヤ内の空気を強制循環させる方法（例えば特許文献４参照）等が開示されている。
【０００５】
これらの方法は、いずれも、タイヤの内側を効率的に冷却し、収縮する補強材が配置されているタイヤの内側を効率的に冷却し、補強材の温度をできるだけ短時間に冷却することができ、効果的にタイヤ形状を維持することができる。
【特許文献１】特公昭４９−１７４２５号公報
【特許文献２】特開昭５０−３９７７８号公報
【特許文献３】特開平２−２２０１６号公報
【特許文献４】特開平４−１３１２１０号公報
【発明の開示】
【発明が解決しようとする課題】
【０００６】
しかしながら、上記に示した従来の方法においては、トレッド表面等のタイヤ外側表面部分は、室温にある空気で冷却されるのみであり、このため、カーカスコード等の補強材が配設されているタイヤの内部が、補強材の寸法を固定化するに十分な温度まで冷却されても、タイヤの外側表面は十分冷却されず温度はまだ高い。
【０００７】
一般的に温度が高いほど加硫反応速度が大きく、このため、十分に冷却されないタイヤの外側表面に近い部位では、タイヤ内側の冷却が完了しても加硫反応が進行し続け、オーバーキュア（過加硫）となってしまう可能性が高く、オーバーキュアしたタイヤは、タイヤ性能、特に耐久性能が低下することがわかっている。
【０００８】
したがって、一般的に、タイヤの加硫時間（タイヤが加硫金型内で閉止されている時間）は、タイヤが加硫機から排出されたあとの余熱によって増加する分を差し引いた加硫度に対応する分の加硫反応を加硫金型内で行うよう設定されている。すなわち、タイヤの加硫時間は、後加硫による加硫度を予め推定し、この分も含めた加硫度が適正範囲にはいるよう設定されている。
【０００９】
しかし、タイヤの外側表面部分は、タイヤの内部部分に比べて、タイヤが加硫金型内にあるときは熱源に近いので加硫反応は速いうえに、加硫金型から出た状態では、空気によって冷却されるだけであるため、気温や気流の時間的、位置的条件によって大きく影響され、そのため後加硫による加硫度を適正に推定することがむつかしく、オーバーキュア、すなわち過加硫状態になる可能性が高かった。
【００１０】
一方、タイヤ外表面部分のオーバーキュアを防止しようとして、加硫時間を短く設定すると、タイヤの内部部分では、ゴムの熱伝導率が小さいことに起因して、タイヤ外表面部分に比して温度が上がらずしたがって加硫反応も十分進行せず、アンダーキュアとなり物性が低下するおそれがあった。
【００１１】
本発明は、このような問題点に鑑みてなされたものであり、タイヤのどの部位をとっても、加硫度が適正範囲に収まるよう加硫度を高度に管理し、このことによって、タイヤ性能を向上させることのできる加硫タイヤの冷却方法、この冷却方法によって冷却されるタイヤの加硫プロセスを設定する方法、およびそのための冷却装置を提供することを目的とする。
【課題を解決するための手段】
【００１２】
＜１＞は、加硫金型より取り出されたタイヤを、内圧の充填下で冷却する方法において、
内圧が充填されたタイヤの一部もしくは全部を、所定温度に制御された冷却水中に浸けて、タイヤを冷却する加硫タイヤの冷却方法である。
【００１３】
＜２＞は、＜１＞において、前記タイヤを、冷却水中に浸けたまま、回転させる加硫タイヤの冷却方法である。
【００１４】
＜３＞は、＜２＞において、冷却水中に浸けたタイヤを回転する際の回転数を変化させてタイヤの冷却速度を変化させるタイヤの冷却方法である。
【００１５】
＜４＞は、＜１＞〜＜３＞のいずれかのタイヤの冷却方法によって冷却されるタイヤの加硫プロセスを設定する方法において、
サイズもしくは種類の異なる複数のタイヤの各部位における前記冷却後の加硫度が、それぞれのタイヤについて部位ごとに予め定められた加硫度許容範囲内となるよう、前記回転数を異ならせるタイヤ加硫プロセスの設定方法である。
【００１６】
＜５＞は、＜１＞〜＜３＞のいずれかのタイヤの冷却方法に用いられ、加硫タイヤに充填された内圧を気密に保持するリムと、タイヤをその中心軸周りに回転させるタイヤ回転手段と、タイヤの外側を冷却する冷却水を収容する水槽とを具えてなるタイヤ冷却装置である。
【００１７】
＜６＞は、＜５＞において、タイヤのサイズもしくは種類に応じて、タイヤの回転を継続させる時間と、タイヤ回転手段の回転数とを予め定められた値にするよう制御する制御部を設けてなるタイヤ冷却装置である。
【発明の効果】
【００１８】
＜１＞によれば、内圧が充填されたタイヤの一部もしくは全部を所定温度に制御された冷却水中に浸けることによりタイヤを冷却するので、特にタイヤ外側表面を短時間で冷却することができ、加硫金型内では加硫反応が速く進行したタイヤ外部表面の加硫度がさらに増加するのを抑え、オーバーキュアによるタイヤ性能の低下を防止することができる。
【００１９】
＜２＞によれば、前記タイヤを、冷却水中に浸けたまま回転させるので、加硫タイヤの冷却速度を一層高めることができ、タイヤ外部表面のオーバーキュアを一層効果的に抑えることができる。
【００２０】
＜３＞によれば、冷却水中に浸けたタイヤの回転数を変えてタイヤの冷却速度を変化させるので、詳細を後述するように、タイヤの種類に応じて、タイヤの品質を最適なものにすることができる。
【００２１】
＜４＞のタイヤ加硫プロセスの設定方法によれば、サイズもしくは種類の異なる複数のタイヤの各部位における前記冷却後の加硫度が、それぞれのタイヤについて部位ごとに予め定められた加硫度許容範囲内にあり、かつ、予め定められたタイヤ加熱温度条件下での加硫時間が最短となるよう前記回転数を異ならせるので、タイヤごとに最適な加硫プロセスを設定することができ、タイヤの品質と生産性の向上とを高度に両立させることができる。
【００２２】
＜５＞のタイヤ冷却装置によれば、加硫タイヤに充填された内圧を気密に保持するリムと、タイヤをその中心軸周りに回転させるタイヤ回転手段と、タイヤの外側を冷却する冷却水を収容する水槽とを具えるので、上述のタイヤの冷却方法を簡易に実現させることができる。
【００２３】
＜６＞によれば、タイヤを回転させている時間とタイヤの回転数とが、タイヤのサイズや種類に応じて予め定められている値となるよう制御する制御部を有するので、タイヤサイズに応じて自動的に冷却速度を変化させることができる。
【発明を実施するための最良の形態】
【００２４】
本発明の実施形態について、図に基づいて説明する。図１は、本発明に係る実施形態のタイヤ冷却装置１を示す概略部分断面図であり、図１（ａ）は、加硫タイヤＴの冷却中の状態を、図１（ｂ）は、タイヤ冷却装置１に対して加硫タイヤＴを装着する途中の状態、もしくはこれを取り外す途中の状態をそれぞれ表す。タイヤ冷却装置１は、例えばタイヤハンドリングロボット１１等の把持手段により把持されて搬送されてきた加硫直後の加硫タイヤＴを、そのビード部Ｂで支持する一対の支持リム３、４、これらの支持リム３、４を軸支するベアリング５、支持リム３、４を回転させるモータ６、および、加硫タイヤＴを冷却する冷却水１７を収容する水槽２を具えて構成される。なお、モータ６およびベアリング５は、加硫タイヤＴをその中心軸周りに回転させるタイヤ回転手段を構成する。
【００２５】
対をなす支持リム３、４の一方の支持リム３は、モータ６によって直接回転駆動される。また、他方の支持リム４は、シリンダ７によって進退自在かつ回転自在に支持され、シリンダ７によって支持リム４を進退作動させることにより、これを支持リム３に対して離隔接近させることができるよう構成されていて、支持リム３、４が相互に最接近した状態において、支持リム４に取り付けられている係合棒８の先端が、支持リム３に設けられた係合穴９と係合され、この状態において、支持リム３、４の相互の回転、離隔接近が拘束され、支持リム４も、モータ６によって、支持リム３を介して回転駆動される。
【００２６】
このような冷却装置１を用いて、加硫タイヤＴを冷却するには以下のようにして行う。支持リム３、４が相互に離隔した状態において、タイヤハンドリングロボット１１を変位させ、タイヤハンドリングロボット１１により把持された加硫タイヤＴを、水槽２に収容された冷却水１７中に所定深さまで没するよう下降させるとともに、次いで、この位置で、加硫タイヤＴをタイヤハンドリングロボット１１で把持したまま、支持リム４を支持リム３に対して接近するよう変位させ、支持リム３、４を相互に係合させる。この時点において、加硫済みタイヤＴは、図１（ａ）に示すように、支持リム３、４によって支持されるとともに、支持リムと加硫タイヤＴとによって内圧空間１５が気密に画成される。
【００２７】
続いて、タイヤハンドリングロボット１１の把持を開放してタイヤハンドリングロボット１１をタイヤ冷却装置１から退出させた後、図示しない空気供給装置から、支持リム４に設けられたバルブ１８を介して、気密に画成された内圧空間１５に加圧空気を供給し、加硫タイヤＴに所定の内圧を充填する。
【００２８】
次に、モータ６を駆動させ、冷却水１７に浸けた状態の加硫タイヤＴを、タイヤごとに予め定められた回転速度で予め定められた時間だけ回転させた後、内圧空間１５の空気をバルブ１８から排出して内圧を大気圧まで低下させる。続いて、シリンダ７を作動させて、支持リム４と支持リム３とを相互に離隔させたあと、タイヤハンドリングロボット１１で加硫タイヤＴを把持させて加硫タイヤＴをタイヤ冷却装置１から退出させ、一連の工程を終了する。
【００２９】
ここで、加硫タイヤＴを冷却水１７中に浸ける深さｄは、タイヤのトレッド部からサイドウォール部に至るまでのタイヤ外表面のどの部分を冷却するかを決めるファクターであり、また、モータ６は、無段階にもしくは段階的に回転速度を変更することができるよう構成されているのが好ましく、その回転数をタイヤのサイズ、種類に応じて変化させることにより、タイヤサイズごとに最適な冷却速度に設定し、冷却速度にも依存するタイヤ各部位における加硫度を最適なものにすることができる。深さｄ、加硫タイヤＴを回転させる回転速度ω、および、加硫タイヤを冷却水中に浸けて回転させる時間は、加硫タイヤＴのサイズおよび種類ごとに、加硫プロセスの条件の一部として予め定められる。
【００３０】
なお、図１に示したタイヤ冷却装置１は、トレッド部を含むタイヤの一部を冷却水中に浸けるものであるが、タイヤ全体を冷却水中に没して冷却することもできる。また、タイヤを、その中子であるブラダを装着した状態のまま冷却することも可能である。
【００３１】
図２は、このタイヤ冷却装置１を含む加硫システムの例を示す配置図であり、加硫システム１０は、加硫金型を加熱してその内のタイヤを加硫する複数の加硫ステーション２１と、加硫タイヤＴを冷却するタイヤ冷却装置１と、前工程から搬送された未加硫タイヤを一時的に載置する未加硫タイヤ置き台２４と、タイヤ冷却装置１で冷却された加硫タイヤを次の工程に搬送するまでの間一時的に載置する加硫済みタイヤ置き台２５と、加硫ステーション２１、複数台のタイヤ冷却装置１、未加硫タイヤ置き台２４、および、加硫済みタイヤ置き台２５の間でタイヤを搬送するタイヤハンドリングロボット１１とを具えて構成される。
【００３２】
加硫システム１０において、前工程から搬送され未加硫タイヤ置き台２４に載置されたタイヤは、タイヤハンドリングロボット１１によって加硫ステーション２１に配置され、そこで熱と圧力とが加えられて加硫が行われる。
【００３３】
加硫ステーション２１で加硫が完了したタイヤは、タイヤハンドリングロボット１１によってタイヤ冷却装置１に投入され、そこで、先に説明した方法で所定時間冷却される。冷却が完了した加硫タイヤＴは、タイヤハンドリングロボット１１によって再び把持され、加硫済みタイヤ置き台２５に搬送される。
【００３４】
タイヤ冷却装置１は、先に説明したように、回転するタイヤの外側表面を冷却水１７によって冷却するので、従来のようの室温の空気中に放置して冷却する従来の冷却装置に対比して冷却時間を短縮することができ、このことにより、従来の空気による冷却では加硫金型１面に対して２台配置されていたタイヤ冷却装置の台数を減少させることができ、例えば、図２に示した加硫システム１０の例の場合、加硫金型４面に対して、タイヤ冷却装置１を４台配置するだけですませることができ、設備コストを低減し、冷却も含めたサイクルタイムを短縮することができる。
【００３５】
図３は、この加硫システム１０の制御部分を示すブロック線図であり、加硫システム１０はこのシステム全体を制御する制御部２０を有し、制御部２０は、プロセス中のタイヤのサイズや種類に応じて、加硫ステーション２１、金型開閉ステーション２２、タイヤ冷却装置１、および、タイヤハンドリングロボット１１に、これらの作動のタイミングを直接制御する信号、もしくは、これらの作動のタイミングに関するパラメータを表す信号を出力することによって、これらをタイミング制御するよう構成されているが、タイヤ冷却装置１に対しては、タイミング制御に加えて、加硫タイヤＴを回転するモータ６の回転数を制御する制御信号もしくはパラメータ信号を出力するよう構成され、それぞれの加硫タイヤＴを冷却する際のモータ６の回転数はこの信号に基づいて決定される。
【００３６】
ここで、加硫タイヤＴの冷却速度が予め定められたものになるようにするためには、冷却水１７を均一かつ一定の温度に保持することも重要であり、そのための方法として、水槽２の容量を大きくして大量の冷却水１７を収容することにより水温の変化を抑えてもよいが、一層高精度に水温を制御することもでき、図４は、この場合の、冷却水温制御システムの例を示すブロック線図である。水槽２に収容された冷却水１７には、常時、管路３７から新たな冷却水が補給され、補給水により増加した分だけ、オーバーフロー口３１から排出され、排出された水は循環ポンプ３２によって再び管路３７を通って水槽に補給されるよう構成されていて、この循環によって水槽内の水温を均一にすることができる。
【００３７】
さらに、循環水管路３８中に水温を検知する水温センサ３６を設け、水温の変化に合わせて、低い温度に保持された低温水を供給する管路３９からの補給量を増減させて水槽２内の冷却水１７の水温を均一にかつ一定に保持することができる。
【００３８】
なお、３３は水槽の温度を所定のものにするため水温制御装置であり、３４は、低温水供給管路３９の水量を制御する制御弁、３５は循環水の水量を制御する制御弁を示す。なお、低温水供給管路３９より補給された分だけ、水槽２内の水量は純増するので、この水は、オーバーフロー口３１に設けられた貯留タンク３１Ａより外にオーバーフローさせるよう構成される。
【００３９】
次に、このような冷却方法によってタイヤを冷却するに際し、タイヤを回転する回転数をタイヤの種類によって変化させることの作用について説明をする。加硫プロセスを設定する際、タイヤの各部、例えば、トレッド部や補強材となるカーカスの近傍部分等、タイヤ部位ごとの加硫度は、予め定められた加硫度範囲にはいっている必要があり、この加硫度が小さすぎると、それぞれの部位に対して必要とされる剛性を得ることができず、一方、加硫度が大きくなりすぎても、タイヤ性能、特に耐久性の低下を招き好ましくない。
【００４０】
図５は、このことを例示するグラフであり、このグラフにおいて、縦軸は、カーカスの幅方向中央部における加硫度を指数で表し、横軸は同様に、トレッド部の表面の加硫度を指数で表したものであり、グラフにプロットした点に記載された数値は、ドラムライフ、すなわちドラム試験機でタイヤの回転数をステップ的に上昇させて行きタイヤが故障するまでのステップ数でタイヤのライフを表した指数を示すが、このグラフから明らかなように、トレッド部の加硫度、カーカス幅方向中央部の加硫度のどちらについても、その加硫度が大きくなりすぎると耐久性が低下することがわかる。
【００４１】
以上のような前提のもと、２種類のタイヤについて考えてみる。図６（ａ）、図６（ｂ）は、特性が異なる2種類のタイヤについて、縦軸に加硫度、横軸に加硫開始後の時間をとって、加硫度の増加曲線を例示するグラフであり、t1A、t2Aはそれぞれ加硫中の時間、すなわち、タイヤが加硫金型内に収容されている時間を示し、t1B、t2Bはそれぞれ、タイヤが加硫金型から取り出されたあと加硫が進行し、冷却によって加硫の進行が止まるまでの時間を表す。
【００４２】
そして、縦軸の加硫度に関し、MAXとMINとで区画された領域は、加硫金型から取り出されたあとの加硫度の増加分を含む全加硫度（すなわち、タイヤを加硫金型に投入して加硫を開始したあとt1A +t1B、t2A +t2Bの時間経過後の加硫度）がこの範囲に入らなければならないことを示す範囲である。
【００４３】
加硫時間（タイヤを加硫金型内に収容して加硫する時間）を左右する因子として、上記の加硫度に加えて、タイヤが硬化するまでタイヤを加圧しておく時間を考慮する必要があり、タイヤが十分硬化しないうちに圧力を開放するとタイヤ内で気泡が生じ、製品内にこの気泡が残ってしまう。
【００４４】
したがって、タイヤは、少なくとも、このタイヤ加圧時間だけは加硫金型内に保持されてなければならず、一方、加硫時間を短縮し、生産性をあげて加硫機や加硫金型の台数を減らすためには、タイヤ加圧時間が経過した後、できるだけ速やかにタイヤを加硫金型から取り出したほうが好ましく、図６（ａ）、図６（ｂ）は、このような条件でタイヤを取り出した場合のチャートを示すものとし、したがって、t1A、t2Aは、それぞれのタイヤに対応する最短タイヤ加圧時間であるとする。
【００４５】
図６（ａ）に示す特性を有するタイヤの場合には、内部と外側表面とで大して異ならない加硫度増加曲線を有し、しかも、時間t1Aの直後は、タイヤ内部の加硫度はまだMINに達していないので、冷却における加硫タイヤＴの回転数を下げてタイヤの冷却速度を抑えることによって、加硫金型から取り出したあと時間t1Bの間に進行する加硫度の割合を増やすことにより、内部における全加硫度がMINを超えるようすることができる。そして、このように加硫時間を短縮することにより、加硫ステーション２１の設置台数を減少させることができる。しかも、このようにタイヤの冷却速度を遅くしても、このタイヤの場合は、内部と外側表面部分との加硫度の差がもともと小さいので、外側表面部分の全加硫度がMAXよりも大きくなる心配はない。
【００４６】
一方、タイヤの外側表面と内部とで加硫の進行速度の差が大きい場合は、図６（ｂ）に示すように、冷却速度を大きくし、最短のタイヤ加圧時間t2Aが経過したとき、外側表面における加硫度はMAXに近い値となっているので、タイヤを加硫金型から取り出したあとの冷却速度を大きく、外側表面の加硫反応を抑えなければならず、このため、タイヤの回転速度を上げる必要がある。
【００４７】
以上のように、本発明に係る加硫プロセスの設定方法において、加硫タイヤTを冷却する際の回転数を、タイヤのサイズもしくは種類によって変化させ、このことによって、これらのサイズもしくは種類の異なる複数のタイヤに対して、各部位における前記冷却後の加硫度が、それぞれのタイヤについて部位ごとに予め定められた加硫度許容範囲内に収まるようにすることができる。
【産業上の利用可能性】
【００４８】
本発明は種々のタイヤの加硫の冷却に用いることができる。
【図面の簡単な説明】
【００４９】
【図１】本発明に係る実施形態のタイヤ冷却装置１を示す概略部分断面図である。
【図２】タイヤ冷却装置を含む加硫システムの例を示す配置図である。
【図３】タイヤ冷却装置を含む加硫システムの制御部分を示すブロック線図である。
【図４】冷却水温制御システムの例を示すブロック線図である。
【図５】トレッド部表面およびカーカス幅方向中央部におけるタイヤ加硫度とドラムライフとの関係を示すグラフである。
【図６】加硫開始後の加硫度の時間変化を示すグラフである。
【符号の説明】
【００５０】
１    タイヤ冷却装置
２    水槽
３、４    支持リム
５    ベアリング
６    モータ
７    シリンダ
８    係合棒
９    係合穴
１０    加硫システム
１１    タイヤハンドリングロボット
１５    内圧空間
１７    冷却水
１８    バルブ
２０    制御部
２１    加硫ステーション
２４    未加硫タイヤ置き台
２５    加硫済みタイヤ置き台
３１    オーバーフロー口
３１Ａ    貯留タンク
３２    循環ポンプ
３３    水温制御装置
３４、３５    制御弁
３６    水温センサ
３７    補給水の管路
３８    循環水の管路
３９    低温水の管路
Ｔ    加硫タイヤ
Ｂ    ビード部
【図１】
2007054964.tif 000003
【図２】
2007054964.tif 000004
【図３】
2007054964.tif 000005
【図４】
2007054964.tif 000006
【図５】
2007054964.tif 000007
【図６】
2007054964.tif 000008